(57)【要約】【課題】電子カルテを安全に閲覧できるシステムを提供する。【解決手段】電子カルテ端末とＫＶＭスイッチと閲覧端末とを含むシステムであって、閲覧端末はキーボード及びポインティングデバイスに対する入力情報をキーボード信号及びマウス信号としてＫＶＭスイッチに送信し、ＫＶＭスイッチは閲覧端末からキーボード信号及びマウス信号を受信し受信したキーボード信号及びマウス信号を電子カルテ端末に送信し、電子カルテ端末は閲覧端末からキーボード信号及びマウス信号を受信し電子カルテ端末のディスプレイに電子カルテを含む情報を表示させるビデオ信号をＫＶＭスイッチに送信し、ＫＶＭスイッチは電子カルテ端末からビデオ信号を受信し受信したビデオ信号を閲覧端末に送信し、閲覧端末はディスプレイを有しＫＶＭスイッチからビデオ信号を受信しビデオ信号に基づいて電子カルテを含む画面を閲覧端末のディスプレイに表示させる、システムとする。【選択図】図１
2019053443.tif 000002
【特許請求の範囲】
【請求項１】
患者の診療過程を記録する電子カルテを管理する電子カルテシステムに属する電子カルテ端末と、前記電子カルテ端末に接続されるＫＶＭ（Keyboard Video Mouse）スイッチと、前記ＫＶＭスイッチにＶＰＮ（Virtual Private Network）を介して接続される閲覧端
末とを含む電子カルテ閲覧システムであって、
前記閲覧端末は、キーボード及びポインティングデバイスを有し、前記キーボード及び前記ポインティングデバイスに対する入力情報を、それぞれ、キーボード信号及びマウス信号として、前記ＫＶＭスイッチに送信し、
前記ＫＶＭスイッチは、前記閲覧端末から前記キーボード信号及び前記マウス信号を受信し、受信した前記キーボード信号及び前記マウス信号を前記電子カルテ端末に送信し、
前記電子カルテ端末は、前記閲覧端末から前記キーボード信号及び前記マウス信号を、前記電子カルテ端末に直接接続されるキーボード及びポインティングデバイスからの入力信号として受信し、前記入力信号に応じて前記電子カルテ端末のディスプレイに前記電子カルテの情報を含む情報を表示させるためのビデオ信号を、前記ＫＶＭスイッチに送信し、
前記ＫＶＭスイッチは、前記電子カルテ端末から前記ビデオ信号を受信し、受信した前記ビデオ信号を前記閲覧端末に送信し、
前記閲覧端末は、ディスプレイを有し、前記ＫＶＭスイッチから前記ビデオ信号を受信し、前記ビデオ信号に基づいて前記電子カルテの情報を含む情報を含む画面を前記閲覧端末の前記ディスプレイに表示させる、
電子カルテ閲覧システム。
【請求項２】
前記電子カルテ端末は、外部回線に接続されていない請求項１に記載の電子カルテ閲覧システム。
【請求項３】
前記電子カルテ端末に接続され、前記電子カルテ端末から前記ビデオ信号を受信し、前記ビデオ信号を記録して格納する画面キャプチャ端末をさらに含む、
請求項１または２に記載の電子カルテ閲覧システム。
【請求項４】
患者の診療過程を記録する電子カルテを管理する電子カルテシステムに属する電子カルテ端末と、前記電子カルテ端末に接続されるＫＶＭ（Keyboard Video Mouse）スイッチと、前記ＫＶＭスイッチにＶＰＮ（Virtual Private Network）を介して接続される閲覧端
末とを含む電子カルテ閲覧システムにおける電子カルテ閲覧方法であって、
前記閲覧端末が、キーボード及びポインティングデバイスを有し、前記キーボード及び前記ポインティングデバイスに対する入力情報を、それぞれ、キーボード信号及びマウス信号として、前記ＫＶＭスイッチに送信し、
前記ＫＶＭスイッチが、前記閲覧端末から前記キーボード信号及び前記マウス信号を受信し、受信した前記キーボード信号及び前記マウス信号を前記電子カルテ端末に送信し、
前記電子カルテ端末が、前記閲覧端末から前記キーボード信号及び前記マウス信号を、前記電子カルテ端末に直接接続されるキーボード及びポインティングデバイスからの入力信号として受信し、前記入力信号に応じて前記電子カルテ端末のディスプレイに前記電子カルテの情報を含む情報を表示させるためのビデオ信号を、前記ＫＶＭスイッチに送信し、
前記ＫＶＭスイッチが、前記電子カルテ端末から前記ビデオ信号を受信し、受信した前記ビデオ信号を前記閲覧端末に送信し、
前記閲覧端末が、ディスプレイを有し、前記ＫＶＭスイッチから前記ビデオ信号を受信し、前記ビデオ信号に基づいて前記電子カルテの情報を含む情報を含む画面を前記閲覧端末の前記ディスプレイに表示させる、
電子カルテ閲覧方法。
【発明の詳細な説明】
【技術分野】
【０００１】
本発明は、電子カルテ閲覧システム、電子カルテ閲覧方法に関する。
【背景技術】
【０００２】
医薬品医療機器等法（医薬品、医療機器等の品質、有効性及び安全性の確保等に関する法律、旧薬事法）では、医薬品開発のために行われる治験の実施において、製薬企業に病院の患者のカルテの直接閲覧等による治験の実施状況の確認が義務付けられている。カルテには、患者の診療過程等が記録されている。病院では、カルテを電子的に保存する電子カルテが普及している。患者の病歴等が記載されるカルテの情報は、個人情報保護法等で厳格な管理が求められている。電子カルテにおいては、不正アクセスやコンピュータウィルスに対する懸念から、電子カルテ端末が、通常のインターネット回線に接続されることは、通常行われていない。したがって、インターネット回線を通じて電子カルテを閲覧することは困難である。このため、製薬会社による電子カルテの閲覧は、例えば、大都市圏にある製薬会社から治験を実施する地方の病院まで、製薬会社の担当者が直接訪問して実施されている。
【先行技術文献】
【特許文献】
【０００３】
【特許文献１】特開２００１−３１２５５７号公報
【特許文献２】特開２００５−１０８２０９号公報
【特許文献３】特開２００５−１５７６２６号公報
【発明の概要】
【発明が解決しようとする課題】
【０００４】
製薬会社の担当者が電子カルテの閲覧のために、各地に点在する病院を訪問することは、非常にコストがかかる。そこで、電子カルテに格納されている患者データの情報が漏洩することなく、遠隔地から電子カルテのデータを安全に閲覧できるシステムが求められている。
【０００５】
本発明は、電子カルテを安全に閲覧できるシステムを提供することを目的とする。
【課題を解決するための手段】
【０００６】
上記課題を解決するために、以下の手段を採用する。
即ち、第１の態様は、
患者の診療過程を記録する電子カルテを管理する電子カルテシステムに属する電子カルテ端末と、前記電子カルテ端末に接続されるＫＶＭ（Keyboard Video Mouse）スイッチと、前記ＫＶＭスイッチにＶＰＮ（Virtual Private Network）を介して接続される閲覧端
末とを含む電子カルテ閲覧システムであって、
前記閲覧端末は、キーボード及びポインティングデバイスを有し、前記キーボード及び前記ポインティングデバイスに対する入力情報を、それぞれ、キーボード信号及びマウス信号として、前記ＫＶＭスイッチに送信し、
前記ＫＶＭスイッチは、前記閲覧端末から前記キーボード信号及び前記マウス信号を受信し、受信した前記キーボード信号及び前記マウス信号を前記電子カルテ端末に送信し、
前記電子カルテ端末は、前記閲覧端末から前記キーボード信号及び前記マウス信号を、前記電子カルテ端末に直接接続されるキーボード及びポインティングデバイスからの入力信号として受信し、前記入力信号に応じて前記電子カルテ端末のディスプレイに前記電子カルテの情報を含む情報を表示させるためのビデオ信号を、前記ＫＶＭスイッチに送信し
、
前記ＫＶＭスイッチは、前記電子カルテ端末から前記ビデオ信号を受信し、受信した前記ビデオ信号を前記閲覧端末に送信し、
前記閲覧端末は、ディスプレイを有し、前記ＫＶＭスイッチから前記ビデオ信号を受信し、前記ビデオ信号に基づいて前記電子カルテの情報を含む情報を含む画面を前記閲覧端末の前記ディスプレイに表示させる、
電子カルテ閲覧システムとする。
【０００７】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【発明の効果】
【０００８】
本発明によれば、電子カルテを安全に閲覧できるシステムを提供することができる。
【図面の簡単な説明】
【０００９】
【図１】図１は、実施形態の電子カルテ閲覧システムの構成例を示す図である。
【図２】図２は、コンピュータのハードウェア構成例を示す図である。
【図３】図３は、実施形態における電子カルテ閲覧システムの動作シーケンスの例（１／２）を示す図である。
【図４】図４は、実施形態における電子カルテ閲覧システムの動作シーケンスの例（２／２）を示す図である。
【発明を実施するための形態】
【００１０】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１１】
〔実施形態〕
図１は、本実施形態の電子カルテ閲覧システムの構成例を示す図である。本実施形態の電子カルテ閲覧システム１０は、閲覧端末１００、モバイルＷｉＦｉルータ２００、ＶＰＮ（Virtual Private Network：仮想プライベートネットワーク）３００、ＫＶＭスイッ
チ４００、電子カルテ端末５００、画面キャプチャ端末６００を備える。電子カルテ端末５００は、電子カルテネットワーク７００に接続される。携帯電話通信網は、モバイルＷｉＦｉルータ２００をＶＰＮ３００にＳＳＬ（Secure Sockets Layer）等の暗号化通信で接続する。ここでは、例えば、ＫＶＭスイッチ４００、電子カルテ端末５００、画面キャプチャ端末６００、電子カルテネットワーク７００は、病院内に設置される。閲覧端末１００およびモバイルＷｉＦｉルータ２００は、主に病院外を移動するユーザに携帯される。
【００１２】
閲覧端末１００は、例えば、パーソナルコンピュータ、タブレット型携帯端末、スマートフォン等である。閲覧端末１００は、携帯電話回線網等を介して、ＫＶＭスイッチ４００に接続する。閲覧端末１００は、ユーザの操作により、ＫＶＭスイッチ４００を介して、電子カルテ端末５００に対する操作を行い、電子カルテ端末５００の出力画面等の情報を得る。閲覧端末１００は、テレビ会議機能を有してもよい。閲覧端末１００のユーザは、テレビ会議機能により、病院内のテレビ会議機能を有する情報処理装置のユーザとテレ
ビ会議を行うことができる。閲覧端末１００は、指紋認証や虹彩認証などの生体認証システムを有してもよい。閲覧端末１００は、ＷＡＮ（Wide Area Network）側インタフェー
スとして携帯電話通信網に接続する機能を備えてもよい。携帯電話通信網の代わりに他の無線接続や有線接続する公衆回線が使用されてもよい。
【００１３】
モバイルＷｉＦｉルータ２００は、モバイルブロードバンド通信網への接続機能を備えた無線ＬＡＮ機器用の可搬型ルータである。モバイルＷｉＦｉルータ２００は、ＬＡＮ（Local Area Network）側のインタフェースとして無線ＬＡＮ機能を備え、ＷＡＮ側インタフェースとして携帯電話通信網に接続する機能を備える。携帯電話通信網の代わりに他の無線接続や有線接続する公衆回線が使用されてもよい。モバイルＷｉＦｉルータ２００は、無線ＬＡＮにより、閲覧端末１００に接続される。閲覧端末１００がＷＡＮ側インタフェースとして携帯電話通信網に接続する機能を備える場合、モバイルＷｉＦｉルータ２００は不要である。
【００１４】
ＶＰＮ３００は、公衆回線網に跨ってプライベートネットワークを拡張したネットワークである。ＫＶＭスイッチ４００および閲覧端末１００は、ＶＰＮ３００に接続されて、ＶＰＮ３００において、暗号化通信を行う。
【００１５】
ＫＶＭ（Keyboard Video Mouse）スイッチ４００は、ユーザが操作対象のコンピュータを１組のキーボード、ポインティングデバイスや、他のコンピュータから操作するためのハードウェアである。また、ＫＶＭスイッチは、操作対象のコンピュータからの画面出力のための情報（信号）を受信し、接続されるディスプレイ等の出力装置等に表示するためのハードウェアである。ＫＶＭスイッチ４００には、操作対象のコンピュータ、キーボード、ポインティングデバイス、ディスプレイ等が接続され得る。また、ＫＶＭスイッチ４００には、操作対象のコンピュータを操作する他のコンピュータが接続され得る。他のコンピュータは、ネットワークを介してＫＶＭスイッチ４００に接続されてもよい。ここでは、ＫＶＭスイッチ４００は、電子カルテ端末５００を閲覧端末から操作するために使用される。電子カルテ端末５００と閲覧端末１００との間では、ＫＶＭスイッチ４００等を介して、ビデオ信号、キーボード信号、マウス信号が送受信される。ビデオ信号は、画面表示のための情報を含む信号である。キーボード信号は、キーボードへの操作（キーの押し下げ等）の情報を含む信号である。マウス信号は、マウス等のポインティングデバイスへの操作（移動、クリック等）の情報を含む信号である。ポインティングデバイスには、マウス、トラックパッド、トラックボール、タッチパネル等が含まれ得る。ＫＶＭスイッチ４００では、電子カルテ端末５００から受信したビデオ信号が閲覧端末１００に送信される。ＫＶＭスイッチ４００は、電子カルテ端末５００のキーボード入力端子、ポインティングデバイス入力端子、ビデオ出力端子に接続される。
【００１６】
電子カルテ端末５００は、病院内に設置される電子カルテシステムにおける電子カルテを閲覧するための端末である。電子カルテ端末５００は、ユーザが電子カルテ端末５００に含まれるキーボードやマウス等の入力手段で所定の操作をすることにより、所定の電子カルテを出力手段に表示する。電子カルテ端末５００は、電子カルテネットワーク７００に接続されて、電子カルテネットワーク内の他の装置から、ユーザが所望する電子カルテを抽出して、電子カルテをディスプレイ等の出力装置に表示する。また、電子カルテ端末５００は、ＫＶＭスイッチ４００を介して、閲覧端末１００からのキーボード信号、マウス信号を受信する。当該信号は、電子カルテ端末５００に含まれる入力手段に対する操作の際に入力手段から電子カルテ端末５００に出力される信号と同等のものである。よって、電子カルテ端末５００は、当該信号に基づいて、所定の電子カルテを出力手段に表示する。また、電子カルテ端末５００が出力手段に電子カルテを表示する際に電子カルテ端末５００から出力手段に出力されるビデオ信号は、ＫＶＭスイッチ４００および画面キャプチャ端末６００にも出力される。
【００１７】
画面キャプチャ端末６００は、起動されると、電子カルテ端末５００からビデオ信号を受信し、記録する。画面キャプチャ端末６００は、例えば、ビデオ信号を、動画像として記録する。画面キャプチャ端末６００は、病院内のユーザの操作により、記録した動画像を、画面キャプチャ端末６００のディスプレイ等の出力手段で、再生することができる。病院内のユーザは、当該動画像により、閲覧端末１００のユーザが電子カルテ端末５００に対して行った操作を確認することができる。
【００１８】
電子カルテネットワーク７００は、病院内に設置される電子カルテシステムにおけるサーバおよび電子カルテ端末５００を接続するネットワークである。電子カルテシステムは、病院内において、患者の診療過程等を記録する電子カルテを管理する。電子カルテシステムは、サーバで管理する電子カルテを電子カルテ端末５００の求めに応じて抽出し、電子カルテ端末５００で閲覧できるようにする。電子カルテシステムでは、利用者は、固有の識別子（ＩＤ）及びパスワードで管理され、あらかじめ、識別子毎に閲覧できる情報（カルテ）の範囲が決められている。電子カルテネットワーク７００には、サーバおよび電子カルテ端末５００が含まれる。電子カルテネットワーク７００は、外部のインターネット回線（外部回線）には接続されない。
【００１９】
図２は、コンピュータのハードウェア構成例を示す図である。図２に示すコンピュータ９０は、一般的なコンピュータの構成を有している。閲覧端末１００、電子カルテ端末５００、画面キャプチャ端末６００等は、図２に示すようなコンピュータ９０を用いることによって、実現される。図２のコンピュータ９０は、プロセッサ９１、メモリ９２、記憶部９３、入力部９４、出力部９５、通信制御部９６を有する。これらは、互いにバスによって接続される。メモリ９２及び記憶部９３は、コンピュータ読み取り可能な記録媒体である。コンピュータのハードウェア構成は、図２に示される例に限らず、適宜構成要素の省略、置換、追加が行われてもよい。
【００２０】
コンピュータ９０は、プロセッサ９１が記録媒体に記憶されたプログラムをメモリ９２の作業領域にロードして実行し、プログラムの実行を通じて各構成部等が制御されることによって、所定の目的に合致した機能を実現することができる。
【００２１】
プロセッサ９１は、例えば、ＣＰＵ（Central Processing Unit）やＤＳＰ（Digital Signal Processor）である。
【００２２】
メモリ９２は、例えば、ＲＡＭ（Random Access Memory）やＲＯＭ（Read Only Memory）を含む。メモリ９２は、主記憶装置とも呼ばれる。
【００２３】
記憶部９３は、例えば、ＥＰＲＯＭ（Erasable Programmable ROM）、ハードディスク
ドライブ（ＨＤＤ、Hard Disk Drive）である。また、記憶部９３は、リムーバブルメデ
ィア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部９３は、二次記憶装置とも呼ばれる。
【００２４】
記憶部９３は、各種のプログラム、各種のデータ及び各種のテーブルを読み書き自在に記録媒体に格納する。記憶部９３には、オペレーティングシステム（Operating System :ＯＳ）、各種プログラム、各種テーブル等が格納される。記憶部９３に格納される情報は、メモリ９２に格納されてもよい。また、メモリ９２に格納される情報は、記憶部９３に格納されてもよい。
【００２５】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部９６を介して接続される他の外部装置等とデータのやり取りを行うプログラムである。外部装置等には、例えば、他のコンピュータ、外部記憶装置等が含まれる。
【００２６】
入力部９４は、キーボード、ポインティングデバイス、ワイヤレスリモコン、タッチパネル等を含む。また、入力部９４は、カメラのような映像や画像の入力装置や、マイクロフォンのような音声の入力装置を含むことができる。
【００２７】
出力部９５は、ＬＣＤ（Liquid Crystal Display）、ＥＬ（Electroluminescence）パ
ネル、ＣＲＴ（Cathode Ray Tube）ディスプレイ、ＰＤＰ（Plasma Display Panel）等の表示装置、プリンタ等の出力装置を含む。また、出力部９５は、スピーカのような音声の出力装置を含むことができる。
【００２８】
通信制御部９６は、他の装置と接続し、コンピュータ９０と他の装置との間の通信を制御する。通信制御部９６は、例えば、ＬＡＮ（Local Area Network）インタフェースボード、無線通信のための無線通信回路、有線通信のための通信回路である。ＬＡＮインタフェースボードや無線通信回路は、インターネット等のネットワークに接続される。
【００２９】
閲覧端末１００を実現するコンピュータは、プロセッサが補助記憶装置に記憶されているプログラムを主記憶装置にロードして実行することによって、閲覧端末１００としての機能を実現する。
【００３０】
電子カルテ端末５００を実現するコンピュータは、プロセッサが補助記憶装置に記憶されているプログラムを主記憶装置にロードして実行することによって、電子カルテ端末５００としての機能を実現する。
【００３１】
画面キャプチャ端末６００を実現するコンピュータは、プロセッサが補助記憶装置に記憶されているプログラムを主記憶装置にロードして実行することによって、画面キャプチャ端末６００としての機能を実現する。
【００３２】
閲覧端末１００、電子カルテ端末５００、画面キャプチャ端末６００等における一連の処理は、ハードウェアにより実行させることも、ソフトウェアにより実行させることもできる。
【００３３】
プログラムを記述するステップは、記載された順序に沿って時系列的に行われる処理はもちろん、必ずしも時系列的に処理されなくても、並列的または個別に実行される処理を含む。プログラムを記述するステップの一部が省略されてもよい。
【００３４】
（動作例）
図３及び図４は、本実施形態における電子カルテ閲覧システムの動作シーケンスの例を示す図である。図３の「Ａ」「Ｂ」「Ｃ」「Ｄ」「Ｅ」「Ｆ」は、それぞれ、図４の「Ａ」「Ｂ」「Ｃ」「Ｄ」「Ｅ」「Ｆ」と接続する。ここでは、病院外に存在する閲覧端末１００のユーザが、閲覧端末１００から病院内に存在する電子カルテ端末５００を操作して、閲覧端末１００で電子カルテを閲覧する。
【００３５】
ここでは、あらかじめ、閲覧端末１００には、モバイルＷｉＦｉルータ２００に無線ＬＡＮで接続するための設定、及び、ＶＰＮ３００に接続するための設定があらかじめ行われているとする。即ち、閲覧端末１００は、モバイルＷｉＦｉルータ２００に無線ＬＡＮ
で接続するための情報、ＶＰＮ３００に接続するための情報を記憶手段にあらかじめ格納している。閲覧端末１００からモバイルＷｉＦｉルータ２００までの接続、閲覧端末１００からＶＰＮ３００までの接続は、暗号化通信により行われる。ＫＶＭスイッチ４００には、ＶＰＮ３００に接続するための設定があらかじめ行われているとする。即ち、ＫＶＭスイッチ４００は、ＶＰＮ３００に接続するための情報を記憶手段にあらかじめ格納している。また、電子カルテ端末５００を含む電子カルテシステムには、あらかじめ、閲覧端末１００のユーザを識別する識別子（ＩＤ）及びパスワードがあらかじめ登録されているとする。電子カルテシステムにおいて、当該ＩＤでは、病院が指定する患者の電子カルテを閲覧できるようにされている。病院が指定する患者は、例えば、閲覧端末１００のユーザが所属する製薬会社が開発する医薬品等の治験に関連する患者である。
【００３６】
電子カルテの閲覧にあたって、閲覧端末１００のユーザは、あらかじめ、病院の担当者に対し、電子カルテの閲覧の予約を行う。予約には、少なくとも電子カルテを閲覧する日時が含まれる。病院の担当者は、電子カルテの閲覧の予約日時になると、図示しない情報処理装置などにより、閲覧端末１００とテレビ会議システム等により接続する。病院の担当者は、テレビ会議により閲覧端末１００のユーザの顔や身分証明書等を確認して、閲覧端末１００のユーザが電子カルテシステムにあらかじめ登録されているユーザであるか否かを判定する（ユーザ認証）。登録されているユーザである場合、病院の担当者は、ＫＶＭスイッチ４００及び画面キャプチャ端末６００を起動する。また、病院の担当者は、電子カルテ端末５００が起動していない場合には、電子カルテ端末５００を起動する。ＫＶＭスイッチ４００は、ＶＰＮ３００と接続している。また、登録されているユーザでない場合、病院の担当者は、テレビ会議を終了し、処理を終了する。この場合、閲覧端末１００のユーザは、電子カルテ端末５００を操作できない。これにより、不正なユーザを電子カルテの閲覧から排除することができる。ユーザ認証は、閲覧端末１００において、指紋認証や虹彩認証等の生体認証で行われてもよい。このとき、認証結果が、閲覧端末１００からインターネット回線等を通じて、病院の担当者の情報処理装置等に通知されることにより、病院の担当者が認証結果を確認することができる。
【００３７】
ＳＱ１０１では、電子カルテ端末５００は、ＫＶＭスイッチ４００、画面キャプチャ端末６００が起動すると、それぞれに、ビデオ信号を送信する。ビデオ信号は、電子カルテ端末５００の画面（出力画面）の情報を含む信号である。ここでは、電子カルテ端末５００の画面には、例えば、ＩＤ及びパスワードの入力画面が表示されている。以後、電子カルテ端末５００は、ＫＶＭスイッチ４００及び画面キャプチャ端末６００にビデオ信号を送信し続ける。
【００３８】
ＳＱ１０２では、画面キャプチャ端末６００は、電子カルテ端末５００から送信されるビデオ信号を継続的に記録する。画面キャプチャ端末６００は、動画像として、ビデオ信号を記録してもよい。以後、画面キャプチャ端末６００は、電子カルテ端末５００の出力画面を記録し続けることになる。
【００３９】
ＳＱ１０３では、閲覧端末１００は、あらかじめ、設定されている情報を用いて、モバイルＷｉＦｉルータ２００に無線ＬＡＮにより接続する。閲覧端末１００は、モバイルＷｉＦｉルータ２００との接続が確立すると、あらかじめ設定されている情報を用いて、モバイルＷｉＦｉルータ２００を介して、ＶＰＮ３００に接続する。ここでは、モバイルＷｉＦｉルータ２００は、携帯電話通信網を使用して、ＶＰＮ３００に接続する。閲覧端末１００とＶＰＮ３００との間の通信は、ＳＳＬ等の暗号化通信によって行われる。また、ＫＶＭスイッチ４００は、あらかじめ設定されている情報を用いて、ＶＰＮ３００と接続する。これにより、ＶＰＮ３００には、閲覧端末１００、ＫＶＭスイッチ４００が接続される。閲覧端末１００は、ＶＰＮ３００上の他の装置と通信可能となる。
【００４０】
ＳＱ１０４では、閲覧端末１００は、ＶＰＮ３００を介して、ＫＶＭスイッチ４００に接続し、ＫＶＭスイッチ４００に、電子カルテ端末５００のビデオ信号を送信することを要求する。ここで、ＫＶＭスイッチ４００は、閲覧端末１００のユーザがＫＶＭスイッチ４００に接続するための認証を行ってもよい。
【００４１】
ＳＱ１０５では、ＫＶＭスイッチ４００は、電子カルテ端末５００から受信しているビデオ信号を閲覧端末１００に送信する。以後、ＫＶＭスイッチ４００は、継続的に、電子カルテ端末５００から受信しているビデオ信号を閲覧端末１００に送信する。
【００４２】
ＳＱ１０６では、閲覧端末１００は、ＫＶＭスイッチ４００からビデオ信号を受信する。閲覧端末１００は、ディスプレイ等の出力装置に、受信したビデオ信号に基づく画面を表示する。閲覧端末１００は、ディスプレイの画面の一部又は全部に、当該ビデオ信号による電子カルテ端末５００の出力画面を表示する。ここでは、閲覧端末１００のディスプレイには、電子カルテシステムにログインするためのＩＤ及びパスワードの入力画面が表示される。これは、閲覧端末１００のユーザに、ＩＤ、パスワードの入力を促す画面である。閲覧端末１００のユーザは、閲覧端末１００のディスプレイに表示される画面を見て、あらかじめ割り当てられたＩＤ及びパスワードを、キーボードやポインティングデバイスを利用して入力することができる。
【００４３】
ＳＱ１０７では、閲覧端末１００は、キーボードやポインティングデバイスによる入力操作がされると、キーボード及びポインティングデバイスによる入力信号を、キーボード信号、マウス信号として、ＫＶＭスイッチ４００に送信する。ＫＶＭスイッチ４００は、ＶＰＮ３００を介して、キーボード信号、マウス信号を受信する。
【００４４】
ＳＱ１０８では、ＫＶＭスイッチ４００は、電子カルテ端末５００に受信したキーボード信号、マウス信号を送信する。電子カルテ端末５００は、ＫＶＭスイッチ４００を介して、閲覧端末１００からのキーボード信号、マウス信号を受信する。電子カルテ端末５００は、電子カルテ端末５００においてキーボードやポインティングデバイスが操作された場合と同様の処理を行う。
【００４５】
閲覧端末１００から、電子カルテ端末５００にＩＤ及びパスワードが入力された場合、当該ＩＤ及びパスワードにより、電子カルテシステムに接続するための認証を行う。当該ＩＤ及びパスワードによる接続が許可されると、閲覧端末１００から電子カルテ端末５００を介して電子カルテシステムに接続することができる。
【００４６】
ＳＱ１０９では、閲覧端末１００は、ユーザによりキーボードやポインティングデバイスが操作されると、当該操作による入力信号が、キーボード信号、マウス信号として、ＫＶＭスイッチ４００等を介して、電子カルテ端末５００に送信される。また、電子カルテ端末５００は、キーボード信号、マウス信号を受信すると、電子カルテ端末５００においてキーボードやポインティングデバイスが操作された場合と同様の処理を行う。また、電子カルテ端末５００における出力画面は、電子カルテ端末５００からビデオ信号として、閲覧端末１００に送信される。閲覧端末１００は、ビデオ信号を受信すると、ディスプレイの画面の一部又は全部に、当該ビデオ信号による電子カルテ端末５００の出力画面を表示する。ここで、閲覧端末１００のユーザが、キーボードやポインティングデバイスにより、所定の患者の電子カルテの閲覧の操作を行うと、閲覧端末１００のディスプレイに、当該電子カルテが表示される。これにより、閲覧端末１００のユーザは、所望の患者の電子カルテを閲覧することができる。
【００４７】
閲覧端末１００のユーザは、電子カルテの閲覧が終了すると、電子カルテシステムからログアウトするための操作を行う。当該操作は、閲覧端末１００のキーボードやポインテ
ィングデバイスにより行われる。また、上記同様に、閲覧端末１００に対する操作は、キーボード信号、マウス信号として、ＫＶＭスイッチ４００を介して、電子カルテ端末５００に送られ、電子カルテシステムからのログアウトが行われる。閲覧端末１００のユーザは、電子カルテシステムからのログアウトが終了すると、病院の担当者に、テレビ会議システムによるテレビ会議等により、閲覧の終了を通知する。
【００４８】
ＳＱ１１０では、病院の担当者は、電子カルテ閲覧の終了の通知を受けると、画面キャプチャ端末６００に対し、画面キャプチャ端末６００における画面の記録を停止の操作をする。画面キャプチャ端末６００は、病院の担当者による画面の記録の停止の操作により、画面の記録を停止する。
【００４９】
ＳＱ１１１では、画面キャプチャ端末６００は、記録した電子カルテ端末５００の出力画面の記録を画面キャプチャ端末６００の出力手段に再生する。病院の担当者は、再生される画面の記録を見て、閲覧端末１００のユーザが電子カルテの閲覧中に、不正行為を行っていないことを確認する。このとき、画面キャプチャ端末６００は、早送り再生をしてもよい。これは、再生時間の短縮のためである。不正行為は、例えば、他人のＩＤによるログイン、許可されていない患者の電子カルテの閲覧等である。病院の担当者は、不正行為がないことを確認すると、ＫＶＭスイッチ４００及び画面キャプチャ端末６００の終了操作（例えば、電源断）を行う。これにより、ＫＶＭスイッチ４００の機能が停止し、ＶＰＮ３００を介して、電子カルテ端末５００に接続することができなくなる。
【００５０】
ここでは、閲覧端末１００のユーザを製薬会社の担当者としたが、閲覧端末１００のユーザは、往診、訪問看護を行う医師や看護師であってもよい。この場合、医師や看護師によって、電子カルテに対する記入等が行われてもよい。また、閲覧端末１００のユーザは、院外薬局における薬剤師であってもよい。この場合、院外薬局の薬剤師によって、電子カルテの閲覧が行われてもよい。
【００５１】
（実施形態の作用、効果）
電子カルテに記載される患者の病歴などの情報は、要配慮個人情報とされ、公文書に当たる。したがって、電子カルテに記載される情報の扱いには、人的物理的組織的安全管理措置が求められる。よって、電子カルテシステムは、安易にインターネット回線に接続することは難しい。実際、病院に設置される電子カルテシステムは、セキュリティ上の理由などから、インターネット回線に接続されていないことが多い。本実施形態の電子カルテ閲覧システム１０は、インターネット回線に接続されていない電子カルテシステムの電子カルテを、ＫＶＭスイッチ４００を用いることで、遠隔地から閲覧することができるようにしている。本実施形態の電子カルテ閲覧システム１０によれば、電子カルテシステムのセキュリティを保ちつつ、遠隔地から閲覧することができる。本実施形態の電子カルテ閲覧システム１０は、電子カルテ端末５００にＫＶＭスイッチ４００を接続し、ＫＶＭスイッチ４００にはＶＰＮ３００を接続することで、遠隔地からの電子カルテ端末５００の操作を可能にしている。ＫＶＭスイッチ４００は、電子カルテ端末５００のキーボード、ディスプレイ、ポインティングデバイスの代替として接続される。ＫＶＭスイッチ４００を介して、遠隔接続することで、閲覧端末１００で得られる電子カルテシステムからの情報は、ビデオ信号となるため、電子カルテの情報を電子化された文字情報として得ることは難しくなる。よって、電子カルテ閲覧システム１０によれば、病院内の電子カルテシステムからの不正な情報漏えいを抑制することができる。
【００５２】
以上の実施形態の構成は、可能な限りこれらを組み合わせて実施され得る。
【００５３】
〈コンピュータ読み取り可能な記録媒体〉
コンピュータその他の機械、装置（以下、コンピュータ等）に上記いずれかの機能を実
現させるプログラムをコンピュータ等が読み取り可能な記録媒体に記録することができる。そして、コンピュータ等に、この記録媒体のプログラムを読み込ませて実行させることにより、その機能を提供させることができる。
【００５４】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体内には、ＣＰＵ、メモリ等のコンピュータを構成する要素を設け、そのＣＰＵにプログラムを実行させてもよい。
【００５５】
また、このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８mmテープ、メモリカード等がある。
【００５６】
また、コンピュータ等に固定された記録媒体としてハードディスクやＲＯＭ等がある。
【符号の説明】
【００５７】
１０  ：電子カルテ閲覧システム
１００  ：閲覧端末
２００  ：モバイルＷｉＦｉルータ
３００  ：ＶＰＮ
４００  ：ＫＶＭスイッチ
５００  ：電子カルテ端末
６００  ：画面キャプチャ端末
７００  ：電子カルテネットワーク
９０    ：コンピュータ
９１    ：プロセッサ
９２    ：メモリ
９３    ：記憶部
９４    ：入力部
９５    ：出力部
９６    ：通信制御部
【図１】
2019053443.tif 000003
【図２】
2019053443.tif 000004
【図３】
2019053443.tif 000005
【図４】
2019053443.tif 000006